(57)【要約】【課題】シンプルで調和の取れたビジュアル的美感を有し、設置が容易なスピーカーを提供する。【解決手段】筐体１０は、長い扁平状を呈し、水平に設置される。筐体１０は、長方形の第１バッフル正面１１を有し、第１バッフル正面１１の長手方向両端部に傾斜部が結合され、左右両傾斜部に第２バッフル正面１２を有する。第１スピーカーユニット２０は、左右二つのスピーカーを有し、それぞれ第１バッフル正面１１の長手方向両端部に装着される。第２スピーカーユニット３０は、左右二つのスピーカーを有し、それぞれ左右両側の第２バッフル正面１２に装着される。これにより、第１スピーカーユニット２０は主音声に、第２スピーカーユニット３０はサラウンド音声の音源への接続が可能となり、マルチウェイの単体スピーカーを形成する。スピーカーの第２バッフル正面１２は、第１バッフル正面１１に対して傾斜を形成し、結合される。【選択図】図１
2009118120.tif 000002
【特許請求の範囲】
【請求項１】
長い扁平状を呈し、水平に設置され、
長方形である第１バッフル正面、および前記第１バッフル正面の長手方向両端部に傾斜して結合する第２バッフル正面を有する筐体と、
前記筐体内に設けられ、前記第１バッフル正面の長手方向両端部に設けられた二つのスピーカーを有する第１スピーカーユニットと、
前記筐体内に設けられ、前記第２バッフル正面に設けられた二つのスピーカーを有する第２スピーカーユニットと、
を備えることを特徴とするマルチウェイスピーカー。
【請求項２】
前記第２バッフル正面は、前記筐体前面の長手方向両端部にそれぞれ傾斜して形成されることを特徴とする請求項１記載のマルチウェイスピーカー。
【請求項３】
前記第２バッフル正面と前記第１バッフル正面に平行な仮想平面との夾角は、８度から４５度の間であることを特徴とする請求項２記載のマルチウェイスピーカー。
【請求項４】
前記筐体内に第３スピーカーユニットを有することを特徴とする請求項３記載のマルチウェイスピーカー。
【請求項５】
前記第１スピーカーユニットの左右二つのスピーカーの間に前記第３スピーカーユニットが設けられることを特徴とする請求項４記載のマルチウェイスピーカー。
【請求項６】
前記第３スピーカーユニットの音声出力方向は前記筐体の上方向を向くことを特徴とする請求項５記載のマルチウェイスピーカー。
【請求項７】
前記第１スピーカーユニットは主音声を出力し、前記第２スピーカーユニットはサラウンド音声を出力することを特徴とする請求項１記載のマルチウェイスピーカー。
【請求項８】
前記筐体の前記第１バッフル正面にディスプレイを有することを特徴とする請求項１記載のマルチウェイスピーカー。
【請求項９】
前記筐体内部の前記第１バッフル正面と前記第２バッフル正面との間に隔壁を有し、前記第１スピーカーユニットと前記第２スピーカーユニットとを仕切ることを特徴とする請求項１記載のマルチウェイスピーカー。
【請求項１０】
前記筐体内部に隔壁を有し、この隔壁は前記第３スピーカーユニットを単独で仕切ることを特徴とする請求項４記載のマルチウェイスピーカー。
【発明の詳細な説明】
【技術分野】
【０００１】
本発明は、スピーカーに関し、特にマルチウェイのスピーカーに関する。
【背景技術】
【０００２】
現在流行しているマルチウェイスピーカー、たとえば５．１チャンネルスピーカーは、左右二個一組の主音声スピーカー、左右二個一組のサラウンド音声スピーカー、および重低音スピーカーから構成される。理論上、主音声スピーカーは聴く人の前方の二カ所に、サラウンド音声スピーカーは聴く人の後方の二カ所に配置する。重低音スピーカーは使用者の好みの位置に配置することができ、通常は前方に配置することで、最良の音響効果が得られる。
しかし、使用者の使用空間の形状の違いにより、必ずしも前記のごとくスピーカー群を配置できない。よく見られる使用形態としては、主音声スピーカー、サラウンド音声スピーカーおよび重低音スピーカーを、聴く人の正面に配置するか、もしくはテレビあるいはディスプレイの近くに置く。また、多くの配線コードを外付けした結果、空間の美感を損なうこともある。さらにスピーカーをテレビあるいはディスプレイと一緒に配置する場合、配置に困ることがある。
【発明の開示】
【発明が解決しようとする課題】
【０００３】
本発明の主な目的は、シンプルで調和の取れたビジュアル的美感を有するスピーカーを提供することである。
本発明のさらなる目的は、設置の容易なスピーカーを提供することである。
【課題を解決するための手段】
【０００４】
上記の課題を実現するため、本発明の提供するマルチウェイスピーカーは以下を含む。筐体は長い扁平状を呈し、水平に設置される。長方形の第１バッフル正面を有し、第１バッフル正面の長手方向両端部が傾斜部に結合され、左右両傾斜部に第２バッフル正面を有する。第１スピーカーユニットは、左右二つのスピーカーを有し、それぞれ第１バッフル正面の長手方向両端部に装着される。第２スピーカーユニットは、左右二つのスピーカーを有し、それぞれ左右両側の第２バッフル正面に装着される。これにより、第１スピーカーユニットは主音声に、第２スピーカーユニットはサラウンド音声の音源に接続することができ、マルチウェイの単体スピーカーを形成する。スピーカーの第１バッフル正面と第２バッフル正面は傾斜して結合し、造形的美感を有する上、拡声にも有利である。また長い扁平状の筐体の上部は、ディスプレイあるいはテレビを置くことができ、視聴機材全体が渾然一体として形成され、シンプルで調和の取れた造形的美感を呈し、使用者が配置あるいは移動する際に便利である。
【発明を実施するための最良の形態】
【０００５】
以下、本発明の実施形態によるマルチウェイスピーカーを、図面に基づいて説明する。
図１から図５に示すように、本発明の一実施形態のマルチウェイスピーカーは、筐体１０、第１スピーカーユニット２０、第２スピーカーユニット３０および第３スピーカーユニット４０を有する。
【０００６】
筐体１０は、長い扁平状を呈し、水平に設置される。筐体１０の正面の中間部には長方形の第１バッフル正面１１を形成し、また第１バッフル正面１１の長手方向両端部には第２バッフル正面１２が傾斜し、結合される。本発明の一実施形態において、第１バッフル正面１１に平行な仮想平面と第２バッフル正面１２との夾角は１５度である。
第１スピーカーユニット２０は、筐体１０内に設けられ、左右に二つのスピーカーを有し、それぞれ第１バッフル正面１１の長手方向両端部に設けられる。
第２スピーカーユニット３０は、筐体１０内に設けられ、左右に二つのスピーカーを有し、それぞれ筐体１０の長手方向両端部に結合した第２バッフル正面１２に設けられる。
第３スピーカーユニット４０は、重低音スピーカーであり、筐体１０内に設けられ、第１スピーカーユニット２０の左右二つのスピーカーの間に介在する。第３スピーカーユニット４０の音声出力位置は、第１バッフル正面１１、スピーカー上面１３、あるいはスピーカー底面１４とすることができ、本実施形態ではスピーカー上面１３から出力される。
【０００７】
本実施形態の第１スピーカーユニット２０は主音声音源に接続され、また第２スピーカーユニット３０はサラウンド音声音源に接続され、これによりマルチウェイ（５．１チャンネル）の音響効果を演出し、これらは全て単体の筐体１０内に組み込まれる。さらに全体がシンプルで調和の取れた外観を備え、また配線コードの接続に困るという問題を解消する。
【０００８】
本実施形態では、第１バッフル正面１１の中間部にディスプレイ５０を有する。このディスプレイ５０は、音量や音響オプション、たとえばクラシックまたはロックなど多様な音響効果を表示することができる。筐体上面１３に設けられるスイッチ群５１は、電源オン／オフおよび音量調節などに使用する。またリモコン(図中未表示)を使用することにより、遠隔操作が可能となる。
筐体１０のスピーカー背面１５に設けられる端子群５２は、各音源との接続に使用される。
筐体１０の底面１４に設けられる脚部５３は、筐体１０を支え、かつ設置面から離す。
【０００９】
図５に示すように、筐体１０の内部は、第１バッフル正面１１と第２バッフル正面１２との間に隔壁１６を有し、第１スピーカーユニット２０と第２スピーカーユニット３０とを隔離する。また、別の二つの隔壁１７により、左右両側の第１スピーカーユニット２０および第２スピーカーユニット３０がそれぞれ隔離し、第３スピーカーユニット４０に大型の独立スピーカーを有する。
【００１０】
本発明の筐体１０は、水平横置きを採用し、筐体１０には、主音声を発生する第１スピーカーユニット２０、サラウンド音声を発生する第２スピーカーユニット３０および重低音を発生する第３スピーカーユニット４０が設けられる。そのうち第２スピーカーユニット３０は、筐体１０の正面長手方向両端部に結合された傾斜部に、後向きに約１５度傾いた第２バッフル拡声面を形成する。これにより、サラウンド音声に良好な拡声効果を持たせ、全体の造形は極めて単純かつ調和が取れている上、格調高い音響効果を享受することができる。
【００１１】
なお、本発明の実施形態において、第１バッフル正面１１に平行な仮想平面と第２バッフル正面１２との夾角は８度から４５度の間の任意の角度に設定することができる。
【図面の簡単な説明】
【００１２】
【図１】本発明の一実施形態によるマルチウェイスピーカーの斜視図である。
【図２】本発明の一実施形態によるマルチウェイスピーカーの背面図である。
【図３】本発明の一実施形態によるマルチウェイスピーカーの底面図である。
【図４】本発明の一実施形態によるマルチウェイスピーカーの左側面図である。
【図５】本発明の一実施形態によるマルチウェイスピーカーの筐体の水平方向の断面図である。
【符号の説明】
【００１３】
１０：筐体、１１：第１バッフル正面、１２：第２バッフル正面、１３：スピーカー上面、１４：スピーカー底面、１５：スピーカー背面、１６：隔壁、１７：隔壁、２０：第1スピーカーユニット、３０：第２スピーカーユニット、４０：第３スピーカーユニット、５０：ディスプレイ、５１：スイッチ群、５２：端子群、５３：脚部
【図１】
2009118120.tif 000003
【図２】
2009118120.tif 000004
【図３】
2009118120.tif 000005
【図４】
2009118120.tif 000006
【図５】
2009118120.tif 000007